(57)【要約】【課題】ユーザ近傍のプロパティやエリア特性に合ったリッチな宣伝、広告を効果的に（望ましい時間帯に自由に、動的に、ピンポイントに、リアルタイムに）配信するシステムを提供する。【解決手段】交通機関の車両の内外装または建築物の外側の場所に広告コンテンツを配信する広告配信システムであって、広告受配信ＡＳＰ、配信用サーバ、および前記交通機関の車両の内外装または建築物の外側に設置するコンテンツ表示装置を備え、ＩＴＳシステムにより前記コンテンツ表示装置の位置を把握し、広告クライアントが掲載を希望する広告コンテンツを前記コンテンツ表示装置に配信する。【選択図】        図１
2005010965.tif 000002
【特許請求の範囲】
【請求項１】
交通機関の車両の内外装または建築物の外側の場所に広告コンテンツを配信する広告配信システムであって、
広告受配信ＡＳＰ、配信用サーバ、および前記交通機関の車両の内外装または建築物の外側に設置するコンテンツ表示装置を備え、
ＩＴＳシステムにより前記コンテンツ表示装置の位置を把握し、広告クライアントが掲載を希望する広告コンテンツを前記コンテンツ表示装置に配信することを特徴とする広告配信システム。
【請求項２】
前記広告受配信ＡＳＰは、
前記クライアントから掲載を希望する広告データを受信し、配信のために登録する広告データ登録制御部と、
前記広告データを前記コンテンツ表示装置に配信するスケジューリングを行う広告配信スケジュール部と、
広告データの送受信を制御する広告データ送受信制御部と、
前記広告データ送受信制御部の制御のもとに前記配信用サーバとの通信を実際に行う通信制御部と、
登録済みの前記広告データを蓄積する広告データ蓄積部と、
前記広告データの配信に伴う料金を前記クライアントに課金する課金制御部と、
前記配信用サーバが行う前記広告データの配信効果の測定結果を蓄積する効果蓄積部と、を備えることを特徴とする請求項１に記載の広告配信システム。
【請求項３】
前記配信用サーバは、
前記広告受配信ＡＳＰとの通信を行う広告データ送受信部と、
前記コンテンツ表示装置に配信する広告データを蓄積する広告データ蓄積部と、
配信した前記広告データに記載されているユニークな識別子が、広告を利用するユーザ端末から入力されていることを検証する効果測定部と、
前記コンテンツ表示装置に前記広告データを実際に配信する通信制御部と、を備えることを特徴とする請求項１または２に記載の広告配信システム。
【請求項４】
前記広告受配信ＡＳＰが広告コンテンツの掲載を希望するユーザヘ広告制作環境等を提供することを特徴とする請求項１から３のいずれかに記載の広告配信システム。
【請求項５】
前記コンテンツ表示装置がＩＰアドレスを有することを特徴とする請求項１から４のいずれかに記載の広告配信システム。
【請求項６】
前記コンテンツ表示装置のユーザまたは一般の携帯電話のユーザが希望すれば、ユーザ情報を携帯電話により把握することが可能であることを特徴とする請求項１から５のいずれかに記載の広告配信システム。
【請求項７】
請求項１から６のいずれかに記載の広告配信システムにおける広告受配信ＡＳＰであって、
前記クライアントから掲載を希望する広告データを受信し、配信のために登録する広告データ登録制御部と、
前記広告データを前記コンテンツ表示装置に配信するスケジューリングを行う広告配信スケジュール部と、
通信を制御する広告データ送受信制御部と、
前記広告データ送受信制御部の制御のもとに前記配信用サーバとの通信を実際に行う通信制御部と、
登録済みの前記広告データを蓄積する広告データ蓄積部と、
前記広告データの配信に伴う料金を前記クライアントに課金する課金制御部と、
前記配信用サーバが行う前記広告データの配信効果の測定結果を蓄積する効果蓄積部と、を備えることを特徴とする広告受配信ＡＳＰ。
【請求項８】
請求項１から６のいずれかに記載の広告配信システムにおける配信用サーバであって、
前記広告受配信ＡＳＰとの通信を行う広告データ送受信部と、
前記コンテンツ表示装置に配信する広告データを蓄積する広告データ蓄積部と、
配信した前記広告データに記載されているユニークな識別子が、広告を利用するユーザ端末から入力されていることを検証する効果測定部と、
前記コンテンツ表示装置に前記広告データを実際に配信する通信制御部と、を備えることを特徴とする配信用サーバ。
【発明の詳細な説明】
【０００１】
【発明の属する技術分野】
本発明は、広告を配信するシステムに関し、より詳細にはリッチな広告コンテンツを受信する場所に応じて、効果的に（望ましい時間帯に自由に、動的に、ピンポイントに、リアルタイムに）配信するシステム並びにその広告受配信ＡＳＰおよび配信用サーバに関する。
【０００２】
【従来の技術】
従来、ラッピングバス（特許文献１参照）やディスプレイを搭載した広告宣伝車両（特許文献２参照）は存在するが、静止画像のシール等あらかじめ決められた形の宣伝、広告しか表示できない、広告の掲載料や期間に自由度がなく、ユーザ近傍のプロパティやエリア特性に合った宣伝、広告を動的に表示することは不可能であり、短期集中的に広告をうちたい、特定の時間帯にのみ広告をうちたい、あるいは夜間でも視認できるといった点で従来の広告は必ずしも効果的とはいえない問題があった。
【０００３】
【特許文献１】
特開２００２−１２０６３７号公報
【特許文献２】
特開平２００３−１１４６３６号公報
【０００４】
【発明が解決しようとする課題】
本発明は、上記の従来の問題点を解決し、ユーザ近傍のプロパティやエリア特性に合ったリッチな宣伝、広告を効果的に（望ましい時間帯に自由に、動的に、ピンポイントに、リアルタイムに）配信するシステムを提供することを目的とする。
【０００５】
【課題を解決するための手段】
本発明の第１の態様によれば、交通機関の車両（例えば、電車、バス等の車両）の内外装または建築物の外側（例えば、街行く人々の目に付くビルの外壁等）の場所に広告コンテンツを配信する広告配信システムであって、広告受配信ＡＳＰ、配信用サーバ、および前記交通機関の車両の内外装または建築物の外側に設置するコンテンツ表示装置を備え、ＩＴＳシステムにより前記コンテンツ表示装置の位置を把握し、広告クライアントが掲載を希望する広告コンテンツを前記コンテンツ表示装置に配信することを特徴とする広告配信システムが得られる。
【０００６】
本発明の第２の態様によれば、前記広告受配信ＡＳＰは、前記クライアントから掲載を希望する広告データを受信し、配信のために登録する広告データ登録制御部と、前記広告データを前記コンテンツ表示装置に配信するスケジューリングを行う広告配信スケジュール部と、広告データの送受信を制御する広告データ送受信制御部と、前記広告データ送受信制御部の制御のもとに前記配信用サーバとの通信を実際に行う通信制御部と、登録済みの前記広告データを蓄積する広告データ蓄積部と、前記広告データの配信に伴う料金を前記クライアントに課金する課金制御部と、前記配信用サーバが行う前記広告データの配信効果の測定結果を蓄積する効果蓄積部と、を備えることを特徴とする請求項１に記載の広告配信システムが得られる。
【０００７】
本発明の第３の態様によれば、前記配信用サーバは、前記広告受配信ＡＳＰとの通信を行う広告データ送受信部と、前記コンテンツ表示装置に配信する広告データを蓄積する広告データ蓄積部と、配信した前記広告データに記載されているユニークな識別子（ＩＤなど）が、広告を利用するユーザ端末から入力されていることを検証する効果測定部と、前記コンテンツ表示装置に前記広告データを実際に配信する通信制御部と、を備えることを特徴とする請求項１または２に記載の広告配信システムが得られる。
【０００８】
本発明の第４の態様によれば、前記広告受配信ＡＳＰが広告コンテンツの掲載を希望するユーザへ広告制作環境等を提供することを特徴とする広告配信システムが得られる。
【０００９】
本発明の第５の態様によれば、前記コンテンツ表示装置がＩＰアドレスを有することを特徴とする広告配信システムが得られる。
【００１０】
本発明の第６の態様によれば、前記コンテンツ表示装置のユーザまたは一般の携帯電話のユーザが希望すれば、ユーザ情報を携帯電話により把握することが可能であることを特徴とする広告配信システムが得られる。
【００１１】
本発明の第７の態様によれば、前記広告配信システムにおける広告受配信ＡＳＰが得られる。
【００１２】
本発明の第８の態様によれば、前記広告配信システムにおける配信用サーバが得られる。
【００１３】
以下に、添付の図面を用いて本発明の構造と動作を説明する。また、以下の図面では本発明を実現する上で同じ機能を持つ構成要素には同じ番号を付与する。
以下の説明は、本発明の理解を助けるものであって、本発明の請求範囲を制限するものではない。
【００１４】
【発明の実施の形態】
図１は、本発明による広告配信システムの構成と動作を説明する図であって、１、１−２、１−３は本発明による広告配信システムのクライアント、１−１は広告配信システムの広告代理店、２は広告受配信ＡＳＰ（アプリケーション・サービス・プロバイダ）、２−１は広告データ登録制御部、２−２は広告配信スケジュール部、２−３は広告データ送受信制御部、２−４は通信制御部、２−５は広告データ蓄積部、２−６は課金制御部、２−７は効果蓄積部、３は配信サーバ、３−１は広告データ送受信部、３−２は広告データ蓄積部、３−３は通信制御部、３−４は効果測定部、４はビル外壁に設置されたコンテンツ表示装置、５はバスに設置されたコンテンツ表示装置、６は無線基地局である。
【００１５】
図１で、広告受配信ＡＳＰ２は広告コンテンツの掲載を希望するユーザ（クライアント）１から掲載したい広告コンテンツを受信する。
広告受配信ＡＳＰ２では、広告データ登録制御部２−１が、クライアントから掲載を希望する広告データを受信し、配信のために登録し、広告配信スケジュール部２−２が、広告データをコンテンツ表示装置に配信するスケジューリングを行い、広告データ送受信制御部２−３が、配信用サーバ３など他の構成要素との通信を制御し、通信制御部２−４が、広告データ送受信制御部２−３の制御のもとに配信用サーバ３など他の構成要素との通信を実際に行い、広告データ蓄積部２−５が、登録済みの広告データを蓄積し、課金制御部２−６が、広告データの配信に伴う料金をクライアントに課金し、効果蓄積部２−７が、配信用サーバ３が行う広告データの配信効果の測定結果を蓄積する。また、広告受配信ＡＳＰ２は、広告コンテンツの掲載を希望するクライアント１に広告制作環境等を提供する。
【００１６】
一方、配信サーバ３では、広告データ送受信部３−１が、広告受配信ＡＳＰ２から広告データを受信し、広告データ蓄積部３−２が、広告データを蓄積し、通信制御部３−３が、広告データ送受信部３−１が広告受配信ＡＳＰ２から受信した広告データを、周囲の歩行者情報や車両の走行する場所、時間等状況に基づき、ビル外壁に設置したコンテンツ表示装置４におよび／または無線基地局６を介して、例えばバスに設置したコンテンツ表示装置５に、効果的に、自由に送信する。効果測定部３−４が、配信した広告データに記載されているユニークなＩＤなどが、広告を見て例えば電子商取引サイトを利用したユーザによって、ユーザ端末から入力されていることを検証する。広告に記載されたＩＤなどを入力したユーザには割引を行うなどをすれば、ユーザはＩＤなどを入力することになり、ユーザ端末から入力されたＩＤなどを通信網を介して効果測定部が検証することができる。それにより、各コンテンツ表示装置による広告の効果を測定することができる。
【００１７】
また、配信サーバ３では、ＩＴＳシステム（高度道路交通システム）により高速光通信網または高速無線通信網の無線基地局６を介してビル外壁に設置されたコンテンツ表示装置４またはバスに設置されたコンテンツ表示装置５の位置および周りの環境に関する情報を、その所有者の了承を得て取得する。
【００１８】
さらに、コンテンツ表示装置４または５にはＩＰアドレスが割り当てられ、配信サーバ３はＩＰアドレスによりコンテンツ表示装置４または５の識別および高速光通信網または高速無線通信網を介して同装置との位置情報等の通信が可能である。
【００１９】
図２は、本発明による広告配信システムの動作をさらに詳しく説明する図であって，ａ１〜ａ７は広告受配信ＡＳＰ２の動作、ｂ１〜ｂ４は配信サーバ３の動作である。
【００２０】
図２で、広告受配信ＡＳＰ２は、以下のように動作する。
ａ１：広告データ登録制御部２−１が、クライアントから掲載を希望する広告データを受信し、登録する。
ａ２：広告配信スケジュール部２−２が、広告データ登録制御部２−１から広告データを受信し、コンテンツ表示装置への配信スケジューリングを行う。
ａ３：広告データ送受信制御部２−３が、広告配信スケジュール部２−２から配信する広告データを受信する。
ａ４：通信制御部２−４が、広告データ送受信制御部２−３の制御のもとに配信用サーバ３に広告データを送信する。
ａ５：広告データ蓄積部２−５が、広告データ登録制御部２−１の登録した広告データを蓄積する。
ａ６：課金制御部２−６が、広告データ登録制御部２−１の登録した広告データの配信に伴う料金をクライアントに課金する。
ａ７：効果蓄積部２−７が、配信用サーバ３から広告データの配信効果の測定結果を蓄積する。
【００２１】
配信サーバ３は、以下のように動作する。
ｂ１：広告データ送受信部３−１が、広告受配信ＡＳＰ２から広告データを受信する。
ｂ２：広告データ蓄積部３−２が、広告データ送受信部３−１の受信した広告データを蓄積する。
ｂ３：通信制御部３−３が、広告データ送受信部３−１が受信した広告データを受信する。
ｂ４：通信制御部３−３が、広告受配信ＡＳＰ２から受信した広告データを、周囲の歩行者情報や車両の走行する場所、時間等状況に基づき、ビル外壁に設置したコンテンツ表示装置４におよび／または無線基地局６を介して、例えばバスに設置したコンテンツ表示装置５に、効果的に、自由に送信する。
ｂ５：効果測定部３−４が、配信した広告データに記載されているユニークなＩＤなどが、広告を利用するユーザ端末から入力されていることを検証し、検証結果を広告受配信ＡＳＰ２に送信する。
【００２２】
以上により、走行中の広告バスやビルの外壁等に設置されたコンテンツ表示装置４および５に、静止画像のシール等のあらかじめ決められた形の宣伝、広告ではなく、近傍のプロパティやエリア特性に合ったリッチな宣伝、広告を効果的に（望ましい時間帯に自由に、動的に、ピンポイントに、リアルタイムに）配信、表示することが可能となる。
【００２３】
【発明の効果】
以上に説明したように、本発明による広告配信システムは、従来の静止画像のシール等あらかじめ決められた形の宣伝、広告しか表示できず、広告の掲載料や期間に自由度がなく、ユーザ近傍のプロパティやエリア特性に合った宣伝、広告を動的に表示することは不可能であり、短期集中的に広告をうちたい、あるいは特定の時間帯にのみ広告をうちたい、あるいは夜間でも視認できるといった点で従来の広告は必ずしも効果的とはいえない問題を解決し、走行中の広告バスやビルの外壁等に設置されたコンテンツ表示装置に、近傍のプロパティやエリア特性に合ったリッチな宣伝、広告を効果的に（望ましい時間帯に自由に、動的に、ピンポイントに、リアルタイムに）配信、表示する効果を提供する。
以上における本発明による広告配信システムの説明では、ビルの外壁やバスを例に取り上げたが、本発明は単にビルの外壁やバスに限られるものでなく、ビルの内装や例えば電車等他の車両にも適用が可能である。
【図面の簡単な説明】
【図１】本発明の実施形態による広告配信システムの構成を説明する図である。
【図２】本発明の実施形態による広告配信システムの動作を説明する図である。
【符号の説明】
１、１−２、１−３…広告配信システムのクライアント
１−１…広告配信システムの広告代理店
２…広告受配信ＡＳＰ
３…配信サーバ
４…ビル外壁に設置されたコンテンツ表示装置
５…バスに設置されたコンテンツ表示装置
６…無線基地局
【図１】
2005010965.tif 000003
【図２】
2005010965.tif 000004